(57)【要約】【課題】  本考案は、使用者が手足収容槽内に手足を挿入して複数の固形粒状体からなる伝熱媒体に接することで、使用者の手足を温めると同時に指圧を行なうこともできる温熱器具につき、コンパクト化ないし軽量化を図った温熱器具を提供するものである。【解決手段】  本考案に係る温熱器具１は、容器本体２と、使用者が手足１９を挿入して温めるための手足収容槽３と、手足収容槽３に隣接して設けられる伝熱媒体１８を収容するための伝熱媒体収容槽４と、伝熱媒体１８を加熱する発熱体５を有する。温熱器具１は、伝熱媒体昇降板７が、手足昇降板６の下降に連動して上昇することにより、伝熱媒体収容槽４内に収容されている伝熱媒体１８を手足収容槽３内に排出し、また、手足昇降板６の上昇に連動して下降することにより、手足収容槽３内に排出されている伝熱媒体１８を伝熱媒体収容槽４内に排出し収容する手段を備えている。【選択図】      図３
0003141208.tif 000002
【実用新案登録請求の範囲】
【請求項１】
伝熱媒体として複数の固形粒状体を用いる手足収容槽を有する温熱器具であって、容器本体と、使用者の手足を挿入する手足収容槽と、該手足収容槽に隣接して設けられる該伝熱媒体を収容する伝熱媒体収容槽と、該伝熱媒体を加熱する発熱体とから構成され、該手足収容槽内に使用者の手足の出し入れを行なう手足昇降板と、該伝熱媒体収容槽内に該伝熱媒体の排出と収容を行なう伝熱媒体昇降板とを備えるとともに、該伝熱媒体昇降板が、該手足昇降板の下降に連動して上昇することにより該伝熱媒体収容槽内に収容されている該伝熱媒体を該手足収容槽内に排出し、該手足昇降板の上昇に伴って下降することにより該手足収容槽内に排出されている該伝熱媒体を該伝熱媒体収容槽内に排出し収容するための該手足昇降板と該伝熱媒体昇降板の連動昇降手段を備えることを特徴とする温熱器具。
【請求項２】
前記手足昇降板又は該手足昇降板に接合される部材の何れか又は双方にバイブレータを取り付けたことを特徴とする請求項１に記載の温熱器具。
【請求項３】
前記発熱体が、前記手足収容槽の内面、前記伝熱媒体収容槽の内面、前記手足昇降板の上面、又は前記伝熱媒体昇降板の上面の何れか又は全てに取り付けられた面状の電気温熱ヒータである請求項１又は２に記載の温熱器具。
【請求項４】
前記容器本体が、断熱性を有する材料から形成される断熱層を有する請求項１から３までの何れかに記載の温熱器具。
【請求項５】
前記連動昇降手段が、前記手足昇降板と前記伝熱媒体昇降板とをそれぞれ昇降させる上下スライド機構と、該手足昇降板と該伝熱媒体昇降板とを連結する索部材と、該索部材を案内する滑車と、該手足昇降板を上方に附勢するスプリングと、該伝熱媒体昇降板を下方に附勢するスプリングとから構成される請求項１から４までの何れかに記載の温熱器具。
【請求項６】
前記連動昇降手段が、前記手足昇降板と前記伝熱媒体昇降板とを連結する連動棹と該連動棹を遥動させる支点軸とからなるシーソー機構と、該手足昇降板を上方に附勢するスプリングと、該伝熱媒体昇降板を下方に附勢するスプリングとから構成される請求項１から４までの何れかに記載の温熱器具。
【請求項７】
前記連動昇降手段が、前記手足昇降板と前記伝熱媒体昇降板とをそれぞれ昇降させるＸアーム機構と、該手足昇降板と該伝熱媒体昇降板とを連結する索部材と、該索部材を案内する滑車と、該手足昇降板を上方に附勢するスプリングと、該伝熱媒体昇降板を下方に附勢するスプリングとから構成される請求項１から４までの何れかに記載の温熱器具。
【考案の詳細な説明】
【技術分野】
【０００１】
本考案は、温熱器具に関し、使用者が手足収容槽内に手足を挿入して、該手足収容槽内において複数の固形粒状体からなる伝熱媒体に接することにより、使用者の手足を温めると同時に指圧を行なうこともできる温熱器具に関する。
【背景技術】
【０００２】
従来、使用者が手や足を挿入して温めるための手足収容槽を有する温熱器具は存在しており、まず、その伝熱媒体として空気を用いる温熱器具が存在する（例えば、特許文献１参照。）。しかしながら、該温熱器具は、使用者が該温熱器具を使用するに際し、使用者の身体を温めるという効果を奏することができるものの、その伝熱媒体が空気であるために、直接的な刺激を使用者の手足に与えることはできないから、使用者の手足を指圧するという効果を奏することはできない。
【０００３】
【特許文献１】特開平１１−３３２９００号公報
【０００４】
また、手足収容槽を有する温熱器具において、その伝熱媒体として温水を用いる温熱器具も存在する（例えば、特許文献２参照。）。しかしながら、該温熱器具の使用者は、該温熱器具を使用するに際し、温水を手足収容槽に注水する等の準備作業を行なう必要があるとともに、温水によって着衣を濡らさないように靴下を脱いだりズボンやスカートの裾あるいはシャツの袖を捲ったりする等の準備作業を行なう必要があった。しかも、使用者が右のような着衣を濡らさないようにするための準備作業を行なったにも拘らず、該温熱器具の使用に際し着衣が濡れてしまい、使用者が不快感を生ずることもしばしばあった。更に、該温熱器具の使用者は、該温熱器具を使用した後に、温水を手足収容槽から排水する等の後片付けが必要であるとともに、該温熱器を使用する前の状態に使用者の着衣を戻さなければならなかった。
【０００５】
【特許文献２】実登第３１２５５９９号公報
【０００６】
一方、手足収容槽を有する温熱器具には、上記のような伝熱媒体として空気や温水を用いる温熱器具の他にも、伝熱媒体として砂やセラミックボールをはじめとする複数の固形粒状体を用いる温熱器具（例えば、特許文献３、４、５、６、７、及び８）も存在する。
【０００７】
【特許文献３】特開昭６２−２１１０６５号公報
【特許文献４】特開２００６−４３３８５号公報
【特許文献５】実開昭５６−１０９７１５号公報
【特許文献６】実開昭６４−５６２２１号公報
【特許文献７】実開平６−１７７３６号公報
【特許文献８】実登第３１３５３２４号公報
【０００８】
上記のような伝熱媒体として複数の固形粒状体を用いる温熱器具は、伝熱媒体として空気を用いる温熱器具と比較すると、その伝熱媒体が複数の固形粒状体であるために、使用者が該温熱器具を使用するに際し、使用者の手足に直接的な刺激を与えることができるから、手足を温めるという効果を奏することができると同時に、手足を指圧するという効果を奏することができる。
【０００９】
更に、伝熱媒体として複数の固形粒状体を用いる温熱器具は、伝熱媒体として温水を用いる温熱器具と比較すると、使用者が該温熱器具を使用するに際し、温水を手足収容槽に注水する等の準備作業は必要でなく、また、着衣を濡らさないように靴下を脱いだりズボンやスカートの裾あるいはシャツの袖を捲ったりする準備作業も必要でない。しかも、使用者は、該温熱器具を使用した後に、温水を手足収容槽から排水する等の後片付けをする必要もない。
【００１０】
上記のように、手足収容槽を有する温熱器具において、伝熱媒体として複数の固形粒状体を用いる温熱器具は、伝熱媒体として空気や温水を用いる温熱器具に比して、手や足を温めることができると同時に指圧することができるという効果を奏することができるとともに、煩雑な準備作業や後片付けも必要でないから手軽に使用することができる温熱器具である。
【考案の開示】
【考案が解決しようとする課題】
【００１１】
しかしながら、上記の従来技術に係る伝熱媒体として複数の固形粒状体を用いる手足収容槽を有する温熱器具は、使用者の手足を挿入する手足収容槽と伝熱媒体を収容する伝熱媒体収容槽が同一の槽であったために、伝熱媒体が既に収容されている手足収容槽に使用者が手足を挿入するには、手足収容槽の容積に伝熱媒体の体積と使用者の手足の体積に加えて使用者が手足をねじ入れるための余裕を設けなければならず、該温熱器具における手足収容槽の容積が必然的に大きくならざるを得ないという問題があった。
【００１２】
上記の理由により、従来技術に係る伝熱媒体として複数の固形粒状体を用いる手足収容槽を有する温熱器具は、容積の大きな手足収容槽を満たすために該伝熱媒体を多量に必要とするから、該伝熱媒体を加熱するための発熱体から生じた熱が該手足収容槽にねじ入れた使用者の手足に達するまでに多量の伝熱媒体を伝わっていかなければならず、発熱体から使用者の手足への伝熱効率を下げる要因となっていた。本考案の第一の課題は、伝熱媒体として複数の固形粒状体を用いる手足収容槽を有する温熱器具につき、該発熱体から使用者の手足への伝熱効率を向上させた温熱器具を提供することにある。
【００１３】
上記のとおり、従来技術に係る伝熱媒体として複数の固形粒状体を用いる手足収容槽を有する温熱器具は、容積の大きな手足収容槽を満たすために該伝熱媒体を多量に必要とするために、これが該温熱器具の重量を増す要因となっていた。そのため、従来技術に係る該温熱器具は、該伝熱媒体を該手足収容槽内に収容したままの状態では、一般に、３０キログラム超もの重量があるために、とりわけ比較的力の弱い子供や女性、あるいは高齢者にとって、移動させるのが困難であった。もちろん、従来技術に係る該温熱器具であっても、使用者が該伝熱媒体を該手足収容槽内から除去すれば、その重量は軽減されるから、該温熱器具を移動させることも十分可能であるが、該手足収容槽から多量の該伝熱媒体を除去する作業は極めて煩雑であり、結局のところ、該温熱器具は移動性に乏しかった。
【００１４】
また、該伝熱媒体は、使用者の手足から発せられる汗等により汚染されたり、使用者の不注意等により破損したりする事情もあるところ、該伝熱媒体の全部又は一部を入れ替える作業を行なう必要が生じる場合もある。しかしながら、従来技術に係る該温熱器具は、多量の該伝熱媒体を収容しているために、その入れ替え作業は極めて煩雑であった。
【００１５】
更に、従来技術に係る該温熱器具は、該伝熱媒体を多量に必要とするために、これが該温熱器具の製造にかかる費用を高額なものにするとともに、上記のとおり、該伝熱媒体は入れ替える必要が生じる場合もあるところ、該温熱器具の維持にかかる費用も高額なものにしていた。
【００１６】
上記の理由から、従来技術に係る該温熱器具は、主として、銭湯をはじめとする入浴施設及び旅館をはじめとする宿泊施設等において、いわば業務用の温熱器具として利用されているに過ぎず、個人用ないし家庭用の温熱器具としてはそれほど普及していないのが現状である。本考案の第二の課題は、伝熱媒体として複数の固形粒状体を用いる手足収容槽を有する温熱器具につき、その軽量化を図り移動性を高めるとともに、該伝熱媒体の入れ替え作業を簡便なものとすることができ、しかも、該温熱器具の製造と維持にかかる費用を削減することによって、業務用の温熱器具としてはもとより、個人用ないし家庭用の温熱器具としても手軽に使用することができる温熱器具を提供することにある。
【００１７】
次に、従来技術に係る伝熱媒体として複数の固形粒状体を用いる手足収容槽を有する温熱器具は、該温熱器具の内面に該伝熱媒体を加熱するための発熱体を設ける場合には、該温熱器具の内面積が限られていたために、とりわけ該発熱体を設ける面積を広くとろうとしたときには、必ずしも所望の範囲で該発熱体を設けることができなかった。本考案の第三の課題は、伝熱媒体として固形粒状体を用いる手足収容槽を有する温熱器具につき、該温熱器具の内面積を拡張することにより、該発熱体を設けることができる面積を拡張した温熱器具を提供することにある。
【００１８】
また、伝熱媒体として複数の固形粒状体を用いる手足収容槽を有する温熱器具において、該手足収容槽内に挿入された使用者の手足に更に刺激を伴う指圧感を与える方法としては、該温熱器具にバイブレータを取り付けて振動させる方法が考えられる。右の方法をとる場合、使用者の手足の近くに位置する該手足収容槽の底面又は側面にバイブレータを取り付けて振動させるのが、振動効率の観点からは好適であるが、上記の従来技術に係る該温熱器具は、該手足収容槽をはじめその構成部材が一体的に該温熱器具を形成しているため、該温熱器具全体に振動が伝わることになり、結果的に、振動効率が低くなってしまうという問題があった。
【００１９】
そこで、振動効率を高めるには、例えば、手足収容槽を二重底構造ないし二重壁構造にする等して、バイブレータを取り付ける部材と該温熱器具本体とを分離する方法が考えられるが、上記のとおり、従来技術に係る該温熱器具における手足収容槽は大きな容積を有しており、しかも、使用者の手足と多量の該伝熱媒体を収容することによって重量がかかるため、該手足収容槽を二重底構造ないし二重壁構造にすることは構造的に困難であった。本考案の第四の課題は、伝熱媒体として複数の固形粒状体を用いる手足収容槽を有する温熱器具につき、簡易に振動効率を向上させる態様でバイブレータを取り付けられるようにすることで、使用者の手足に更に刺激を伴う指圧感を与えることのできる温熱器具を提供することにある。
【課題を解決するための手段】
【００２０】
本考案の第一から第三までの課題を解決するため、請求項１に係る伝熱媒体として複数の固形粒状体を用いる手足収容槽を有する温熱器具は、容器本体と、使用者の手足を挿入する手足収容槽と、該手足収容槽に隣接して設けられる該伝熱媒体を収容する伝熱媒体収容槽と、該伝熱媒体を加熱する発熱体とから構成される。該温熱器具は、該手足収容槽内に使用者の手足の出し入れを行なう手足昇降板を備え、該伝熱媒体収容槽内には該伝熱媒体の排出と収容を行なう伝熱媒体昇降板を備えるとともに、該伝熱媒体昇降板が、該手足昇降板の下降に伴って上昇することにより該伝熱媒体収容槽内に収容されている該伝熱媒体を該手足収容槽内に排出し、該手足昇降板の上昇に伴って下降することにより該手足収容槽内に排出されている該伝熱媒体を該伝熱媒体収容槽内に排出し収容するための該手足昇降板と該伝熱媒体昇降板とを連動して昇降させる手段を備えるものとする。
【００２１】
本考案の第四の課題を解決するため、請求項２に係る伝熱媒体として複数の固形粒状体を用いる手足収容槽を有する温熱器具は、請求項１に係る温熱器具であって、該手足昇降板又は該手足昇降板に接合される部材の何れか又は双方にバイブレータを取り付けるものとする。
【００２２】
請求項３に係る伝熱媒体として複数の固形粒状体を用いる手足収容槽を有する温熱器具は、請求項１又は２に記載の温熱器具であって、該発熱体は、該手足収容槽の内面、該伝熱媒体収容槽の内面、該手足昇降板の上面、又は該伝熱媒体昇降板の上面の何れか又は全てに取り付けられた面状の電気温熱ヒータとする。
【００２３】
請求項４に係る伝熱媒体として複数の固形粒状体を用いる手足収容槽を有する温熱器具は、請求項１から３に係る温熱器具であって、該温熱器具の容器本体は断熱性を有する材料から形成される断熱層を有するものとする。
【００２４】
請求項５に係る伝熱媒体として複数の固形粒状体を用いる手足収容槽を有する温熱器具は、請求項１から４までに係る温熱器具であって、該手足昇降板と該伝熱媒体昇降板とを連動して昇降させる手段が、該手足昇降板と該伝熱媒体昇降板とをそれぞれ昇降させる上下スライド機構と、該手足昇降板と該伝熱媒体昇降板とを連結する索部材と、該索部材を案内する滑車と、該手足昇降板を上方に附勢するスプリングと、該伝熱媒体昇降板を下方に附勢するスプリングとから構成されるものとする。
【００２５】
請求項６に係る伝熱媒体として複数の固形粒状体を用いる手足収容槽を有する温熱器具は、請求項１から４までに係る温熱器具であって、該手足昇降板と該伝熱媒体昇降板とを連動して昇降させる手段が、該手足昇降板と該伝熱媒体昇降板とを連結する連動棹と該連動棹を遥動させる支点軸とからなるシーソー機構と、該手足昇降板を上方に附勢するスプリングと、該伝熱媒体昇降板を下方に附勢するスプリングとから構成されるものとする。
【００２６】
請求項７に係る伝熱媒体として複数の固形粒状体を用いる手足収容槽を有する温熱器具は、請求項１から４までに係る温熱器具であって、該手足昇降板と該伝熱媒体昇降板とを連動して昇降させる手段が、該手足昇降板と該伝熱媒体昇降板とをそれぞれ昇降させるＸアーム機構と、該手足昇降板と該伝熱媒体昇降板とを連結する索部材と、該索部材を案内する滑車と、該手足昇降板を上方に附勢するスプリングと、該伝熱媒体昇降板を下方に附勢するスプリングとから構成されるものとする。
【考案の効果】
【００２７】
請求項１に記載した本考案に係る伝熱媒体として複数の固形粒状体を用いる手足収容槽を有する温熱器具は、上記の通りの構成であるから、以下のような効果を得ることができる。
【００２８】
請求項１に記載した温熱器具は、該伝熱媒体が固形粒状体であるとともに、該伝熱媒体を加熱するための発熱体を有するものであるから、使用者が手足収容槽内に挿入した手足に該発熱体によって加熱された該伝熱媒体を接することにより、使用者の手足を温めると同時に指圧するという効果を奏することができる。
【００２９】
請求項１に記載した温熱器具は、使用者が手足を挿入して温めるための手足収容槽と該手足収容槽に隣接して設けられる該伝熱媒体を収容するための伝熱媒体収容槽の二つの槽から構成されるとともに、該手足収容槽内に使用者の手足の出し入れを行なう手足昇降板を備え、該伝熱媒体収容槽内には該伝熱媒体の排出と収容を行なう伝熱媒体昇降板を備える。該温熱器具は、該手足昇降板が下降するのに連動して該伝熱媒体昇降板が上昇することにより、該伝熱媒体収容槽内に収容されていた該伝熱媒体を該手足収容槽内に排出するとともに、該手足昇降板が上昇するのに連動して該伝熱媒体昇降板が下降することにより、該手足収容槽内に排出されている該伝熱媒体を該伝熱媒体収容槽内に排出して収容する手段を有するものであるから、使用者が該手足収容槽内に手足を挿入するのと同時に該手足収容槽内を該伝熱媒体によって満たすことができる。
【００３０】
従って、請求項１に記載した温熱器具は、上記の従来技術に係る伝熱媒体として複数の固形粒状体を用いる手足収容槽を有する温熱器具とは異なり、手足収容槽が該伝熱媒体によって予め満たされているが故に設けなければならなかった使用者が手足をねじ入れるための余裕を該手足収容槽の容積に設ける必要はないから、該手足収容槽内の容積を使用者の手足が挿入できれば十分な容積に縮減することができ、もって、該伝熱媒体の分量を使用者の手足を温めると同時に指圧するという効果を奏し得る必要最小限のものとすることができる。
【００３１】
即ち、請求項１に記載した温熱器具は、上記の従来技術に係る伝熱媒体として複数の固形粒状体を用いる手足収容槽を有する温熱器具に比して、該伝熱媒体の分量を削減することができるから、該温熱器具につき、該伝熱媒体を加熱する発熱体から使用者の手足への伝熱効率を向上させた温熱器具を提供するという本考案の第一の課題を解決することができる。
【００３２】
同時に、請求項１に記載した温熱器具は、上記の従来技術に係る伝熱媒体として複数の固形粒状体を用いる手足収容槽を有する温熱器具に比して、該伝熱媒体の分量を削減することができることに伴い、該温熱器具の軽量化を図り移動性を高めることができるとともに、該伝熱媒体の入れ替えにかかる作業を簡便なものとすることができ、しかも、該温熱器具の製造及び維持に係る費用を削減することができるから、該温熱器具につき、業務用の温熱器具としてはもとより、個人用ないし家庭用の温熱器具としても手軽に使用することができる温熱器具を提供するという本考案の第二の課題を解決することができる。
【００３３】
更に、請求項１に記載した温熱器具は、該手足収容槽と該伝熱媒体収容槽の二つの槽から構成されているために、上記の従来技術に係る伝熱媒体として複数の固形粒状体を用いる手足収容槽を有する温熱器具に比して、該温熱器具の発熱体を取り付けることができる内面積を拡張し得ることにより、該温熱器具につき、該温熱器具の内面に発熱体を取り付ける場合に、発熱体を取り付けることができる面積を拡張した温熱器具を提供するという本考案の第三の課題を解決することができる。
【００３４】
請求項２に係る温熱器具は、請求項１に係る温熱器具であって、手足収容槽内に挿入された使用者の手足に近い位置にある該手足昇降板又は該手足昇降板に接合される部材の何れか又は双方にバイブレータを取り付けるものである。該手足昇降板又は該手足昇降板に接合される部材は、該温熱器具を構成するその他の部材とは別個の部材であるために、バイブレータの振動が該温熱器具全体に広がることはないから、該温熱器具につき、簡易に振動効率を向上させる態様でバイブレータを取り付けられるようにすることで、使用者の手足に更に刺激を伴う指圧感を与えることのできる温熱器具を提供するという本考案の第四の課題を解決することができる。
【００３５】
請求項３に係る温熱器具は、請求項１又は２に係る温熱器具であって、該温熱器具の発熱体として面状の電気温熱ヒータを用い、該発熱体を該手足収容槽の内面、該伝熱媒体収容槽の内面、該手足昇降板の上面、又は該伝熱媒体昇降板の上面の内、所望の範囲に取り付けるものであるから、利用者の手足を該手足収容槽内に出し入れする際に支障を生じることがなく、また、該伝熱媒体の該手足収容槽内への排出及び伝熱媒体収容槽内への収容の際に支障を生じることがなく、しかも、該温熱器具をコンパクトに構成することができ、好適である。
【００３６】
請求項４に係る温熱器具は、請求項１から３までの何れかに係る温熱器具であって、該温熱器具は断熱性を有する材料から形成された断熱層を有するものであるから、該温熱器具の内部と外部との間の熱の伝達を遮断することができ、該伝熱媒体に蓄積された熱が該温熱器具の外部に漏れにくくなり、もって、該温熱器具の保温性を高めることができるから、好適である。
【００３７】
請求項５から７までに係る温熱器具は、請求項１から４までの何れかに係る温熱器具であって、該手足昇降板を上方に附勢するスプリングと、該伝熱媒体昇降板を下方に附勢するスプリングとを備えているものであるから、該伝熱媒体の該手足収容槽への排出及び該伝熱媒体収容槽への収容が容易になる。更に、使用者が手足を乗せて該手足昇降板を押し下げ、該手足収容槽内に該伝熱媒体が排出されることによって、該手足昇降板には下方への押下げ力が作用するが、該スプリングによって該押下げ力への反力として該手足昇降板には上方への引上げ力が作用することから、該手足昇降板が下降する際に、該手足昇降板の下降速度を一定に近付けることができるとともに、使用者の手足の該手足昇降板に対する踏込み圧力を一定に近付けることができ、もって、使用者の手足に心地良い踏込み感覚を与えることができ、好適である。
【考案を実施するための最良の形態】
【００３８】
以下、本考案に係る温熱器具について添付図面に基づいて説明する。図１は、本考案の第一実施形態に係る温熱器具を示した全体斜視図であり、手足昇降板及び伝熱媒体昇降板を可視するため伝熱媒体を片側の手足収容槽及び伝熱媒体収容槽にのみ収容した状態を示した図である。図２は、図１の縦断面図である。図３は、図１に示した本考案の第一実施形態に係る温熱器具の作用説明図である。図４は、図１に示した本考案の第一実施形態に係る温熱器具における手足昇降板及び伝熱媒体昇降板を連動して昇降させる手段の拡大斜視図である。図５は、図１の縦断面図である。図６は、図１に示した本考案の第一実施形態に係る温熱器具における片側の手足収容槽及び伝熱媒体収容槽の横断面図である。図７は、本考案の第二実施形態に係る温熱器具における手足昇降板及び伝熱媒体昇降板を連動して昇降させる手段の拡大斜視図である。図８及び図９は、本考案の第三実施形態に係る温熱器具の縦断面図である。図１０は、本考案の第四実施形態に係る温熱器具の作用説明図である。
【００３９】
まず、第一実施形態ないし第四実施形態に共通する構成について、添付図面に基づいて説明する。
【００４０】
本考案に係る温熱器具１は、容器本体２と、手足収容槽３と、伝熱媒体収容槽４とから形成される。
【００４１】
容器本体２は、手足収容槽３と、伝熱媒体収容槽４とを内部に収納する容器である。容器本体２の上面部分は、その内の手足収容槽３及び伝熱媒体収容槽４の上面部分が開放されているから、手足収容槽３に使用者の手足１９を出し入れすることができるとともに、伝熱媒体収容槽４に伝熱媒体１８を出し入れすることができる。容器本体２は、金属、木材、プラスチック等により形成されるが、伝熱媒体１８及び使用者の手足１９の重量に耐えることができる強固な材料であれば、特に限定されるものではない。図では、容器本体２の形状は、直方体状であるが、立方体状その他の形状にすることも可能である。また、容器本体２は、グラスウール、ロックウール等の断熱性のある素材によって形成された断熱層２ａを有しているから、温熱器具１の保温性を高めることができ、好適である。
【００４２】
手足収容槽３は、金属、木材、プラスチック等により形成されるが、伝熱媒体１８及び使用者の手足１９の重量に耐えることができるとともに、加熱した伝熱媒体１８を収容しても変形等することのない強固な材料であれば、特に限定されるものではない。図示するように、手足収容槽３は、温熱器具１が人の両手又は両足の温め及び指圧を目的とする場合において、片手又は片足用に一槽ずつ設ける場合には、その寸法を、縦約４０〜６０センチメートル、横約２０〜３０センチメートル、高さ約４０〜６０センチメートルとするのが好適であるが、人の片手又は片足を挿入し得る寸法であれば、特に限定されるものではない。もとより、温熱器具１が人の片手又は片足の温め及び指圧を目的とする場合には、前記の寸法に係る手足収容槽３を一槽のみ設けてもよい。また、温熱器具１が人の両手又は両足の温め及び指圧を目的とする場合に、その寸法を両手又は両足を挿入し得る寸法として、両手又は両足用に一槽のみ設けることも可能である。手足収容槽３の形状は、容器本体２及び伝熱媒体収容槽４の形状に合わせて、立方体状等様々な形状にすることが可能であるが、手足収容槽３の形状を直方体状とした場合には、図示するように、その横断面形状を四隅の角を落とした形状とすると、手足収容槽３を満たすのに必要な伝熱媒体の分量を更に減らすことができ、好適である。
【００４３】
伝熱媒体収容槽４は、金属、木材、プラスチック等により形成されるが、伝熱媒体１８の重量に耐えることができるとともに、加熱した伝熱媒体１８を収容していても変形等することのない強固な材料であれば、特に限定されるものではない。伝熱媒体収容槽４は、手足収容槽３に隣接して設けられ、少なくともその容積は、使用者の手足１９を挿入した際の手足収容槽３を満たすのに十分な分量の伝熱媒体１８を収容することができる容積とする。図示するように、温熱器具１が人の両手又は両足の温め及び指圧を目的とする場合において、手足収容槽３を片手又は片足用に一槽ずつ設けるときに、手足収容槽３一槽に対して伝熱媒体収容槽４一槽を設ける場合には、伝熱媒体収容槽４の寸法を、縦約４０〜６０センチメートル、横約２０〜３０センチメートル、高さ約４０〜６０センチメートルとするのが好適であるが、特に限定されるものではない。図では、伝熱媒体収容槽４は、手足収容槽３一槽に対して一槽が設けられているが、複数設けることも可能であり、その設置数は特に限定されるものではない。また、図では、伝熱媒体収容槽４の形状は、直方体状であるが、容器本体２及び伝熱媒体収容槽４の形状にあわせて、立方体状等様々な形状にすることも可能である。
【００４４】
発熱体５は、伝熱媒体１８を加熱するためのものであり、面状の電気温熱ヒータから形成される。発熱体５には、ハロゲンヒータ、カーボンヒータ、若しくはセラミックヒータ等の公知の電気温熱ヒータを用いることができ、その種類は特に限定されない。また、発熱体５には、同一種類の電気温熱ヒータを用いることができるし、異なる種類の電気温熱ヒータを組み合わせて用いることもできる。図では、発熱体５は、手足収容槽３及び伝熱媒体収容槽４の内面に取り付けられているが、その他、手足昇降板６の上面及び伝熱媒体昇降板７の上面の所望の範囲に取り付けることも可能である。
【００４５】
伝熱媒体１８は、ストーンボール、セラミックボール等、蓄熱性を有する複数の固形粒状体を用いる。伝熱媒体１８は、直径１０ミリメートルから２０ミリメートルの球形状の固形部材を用いると使用者の手足１９への指圧効果及び使用者の使用感度としては最適であるが、蓄熱性のある複数の固形粒状体であれば特に限定されるものではない。また、図では、伝熱媒体１８は、同一の大きさの固形粒状体のみから形成されているが、それぞれ大きさの異なる固形粒状体から形成することも可能である。
【００４６】
手足収容槽３内には手足昇降板６が設けられているとともに、伝熱媒体収容槽４内には伝熱媒体昇降板７が設けられている。図示するように、伝熱媒体昇降板７は、手足収容槽３方向に傾斜をつけると、手足収容槽３内に伝熱媒体１８を排出する際に、伝熱媒体昇降板７の上面における伝熱媒体１８の残留を防ぐことができ、好適である。
【００４７】
以上が、第一実施形態ないし第四実施形態に係る温熱器具に共通する構成についての説明である。
【００４８】
次に、第一実施形態ないし第四実施形態に係る温熱器具においてそれぞれ相違する構成について説明する。まず、第一実施形態に係る温熱器具に特有の構成について説明する。
【００４９】
手足昇降板上下スライド機構９は、手足昇降板６を昇降させる手段であり、手足昇降板取付けガイドレール９ａと手足昇降板取付けスライダー９ｂとから構成される。伝熱媒体昇降板上下スライド機構１０は、伝熱媒体昇降板７を昇降させる手段であり、伝熱媒体昇降板取付けガイドレール１０ａと伝熱媒体昇降板取付けスライダー１０ｂとから構成される。手足昇降板取付けガイドレール９ａ及び伝熱媒体昇降板取付けガイドレール１０ａは、平面上の取付け板部の両側縁を互いに向き合うように湾曲させた形状をした部材である。手足昇降板取付けガイドレール９ａは、容器本体２に設けられた昇降機構収納室８の手足収容槽３寄りの内壁に取り付けられており、伝熱媒体昇降板取付けガイドレール１０ａは、昇降機構収納室８の伝熱媒体収容槽４寄りの内壁に取り付けられている。手足昇降板取付けスライダー９ｂ及び伝熱媒体昇降板取付けスライダー１０ｂは、横断面が凸形の形状をした部材である。手足昇降板取付けスライダー９ｂは、手足昇降板取付けガイドレール９ａに相対的に摺動可能なように嵌合されており、伝熱媒体昇降板取付けスライダー１０ｂは、伝熱媒体昇降板取付けガイドレール１０ａに相対的に摺動可能なように嵌合されている。
【００５０】
手足昇降板支持アーム９ｃ及び伝熱媒体昇降板支持アーム１０ｃは、横断面がＬ字型の形状をした部材である。手足昇降板支持アーム９ｃは、手足昇降板取付けスライダー９ｂに取り付けられており、手足昇降板支持アーム９ｃの一端は、手足収容槽細隙３ａを通して手足収容槽３内に差し入れられ、差し入れられた部分の上面が水平方向に拡がった形状をしており、該部分に手足昇降板６が取り付けられている。伝熱媒体昇降板支持アーム１０ｃは、伝熱媒体昇降板取付けスライダー１０ｂに取り付けられており、伝熱媒体昇降板支持アーム１０ｃの一端は、伝熱媒体収容槽細隙４ａを通して伝熱媒体収容槽４内に差し入れられ、差し入れられた部分の上面が水平方向に拡がった形状をしており、該部分に伝熱媒体昇降板７が取り付けられている。
【００５１】
手足昇降板取付けスライダー９ｂにその一端が取り付けられたロープ、チェーン又はワイヤ等の索部材１１は、昇降機構収納室８の内壁の手足昇降板取付けガイドレール９ａ上部に取り付けられた滑車１２ａに巻きかけられ、更に、昇降機構収納室８の内壁の伝熱媒体昇降板取付けガイドレール１０ａ上部に取り付けられた滑車１２ｂに巻きかけられ、伝熱媒体昇降板取付けスライダー１０ｂにその他端が取り付けられる。
【００５２】
手足昇降板６を上方に附勢する手足昇降板復帰スプリング１３ａは、一端が昇降機構収納室８の内壁上部に取り付けられており、他端が手足昇降板支持アーム９ｃに取り付けられている。また、伝熱媒体昇降板７を下方に附勢する伝熱媒体昇降板復帰スプリング１３ｂは、一端が昇降機構収納室８の内壁下部に取り付けられており、他端が伝熱媒体昇降板支持アーム１０ｃに取り付けられている。
【００５３】
図５及び図６では、上記の第一実施形態に係る手足昇降板６と伝熱媒体昇降板７とを連動して昇降させる一式の手段は、二つが手足収容槽３及び伝熱媒体収容槽４を挟んで向かい合って設けられているが、該手段の設置数及び配置は、手足昇降板６と伝熱媒体昇降板７とを連動して昇降させることができるならば、特にこれに限定されるものではない。
【００５４】
使用者が手足１９を乗せて手足昇降板６を押し下げると、索部材１１が手足収容槽３方向に引っ張られることにより、伝熱媒体昇降板７が引き上げられ、伝熱媒体収容槽４内に収容されている伝熱媒体１８を手足収容槽３内に排出することができる。また、使用者が手足１９を乗せて手足昇降板６を押し下げ、手足収容槽３内に伝熱媒体１８が排出されることによって、手足昇降板６には下方への押下げ力が作用するが、手足昇降板復帰スプリング１３ａ及び伝熱媒体昇降板復帰スプリング１３ｂによって該押下げ力への反力として手足昇降板６には上方への引上げ力が作用することから、手足昇降板６が下降する際に、手足昇降板６の下降速度を一定に近付けることができるとともに、使用者の手足１９の手足昇降板６に対する踏込み圧力を一定に近付けることができ、もって、使用者の手足１９に心地良い踏込み感覚を与えることができる。
【００５５】
使用者が手足１９を手足昇降板６から降ろすと、伝熱媒体昇降板復帰スプリング１３ｂの復帰力によって、伝熱媒体昇降板７が下降することにより、索部材１１が伝熱媒体収容槽４方向に引っ張られるとともに、手足昇降板復帰スプリング１３ａの復帰力によって手足昇降板６が引き上げられることにより、手足収容槽３内に排出されている伝熱媒体１８を伝熱媒体収容槽４内に排出し収容することができる。
【００５６】
以上が、第一実施形態に係る温熱器具に特有の構成についての説明である。次に、第二実施形態に係る温熱器具に特有の構成について説明する。
【００５７】
第二実施形態に係る温熱器具は、図７に図示するように、上記の第一実施形態に係る温熱器具と同じく、手足昇降板上下スライド機構９及び伝熱媒体昇降板上下スライド機構１０を備えているが、手足昇降板６と伝熱媒体昇降板７とを連動昇降させる手段としてシーソー機構１４を用いる。連動棹１４ａは、一端が手足昇降板支持アーム９ｃに穿設された手足昇降板支持アーム細隙９ｄに差し込まれ、他端が伝熱媒体昇降板支持アーム１０ｃに穿設された伝熱媒体昇降板支持アーム細隙１０ｄに差し込まれる。支点軸１４ｂは、回転可能なように昇降機構収納室８の内壁に取り付けられ、連動棹１４ａが、遥動可能なように支点軸１４ｂに取り付けられる。
【００５８】
上記の第二実施形態に係る手足昇降板６と伝熱媒体昇降板７とを連動して昇降させる一式の手段は、上記の第一実施形態に係る前記手段と同様に、二つが手足収容槽３及び伝熱媒体収容槽４を挟んで向かい合って設けられるが、該手段の設置数及び配置は、手足昇降板６と伝熱媒体昇降板７とを連動して昇降させることができるならば、特にこれに限定されるものではない。
【００５９】
使用者が手足１９を乗せて手足昇降板６を押し下げると、連動棹１４ａの一端が手足収容槽３方向に押し下げられることにより、伝熱媒体昇降板７が引き上げられ、伝熱媒体収容槽４内に収容されている伝熱媒体１８を手足収容槽３内に排出することができる。使用者が手足１９を手足昇降板６から降ろすと、伝熱媒体昇降板復帰スプリング１３ｂの復帰力によって、伝熱媒体昇降板７が下降することにより、連動棹１４ａの他端が伝熱媒体収容槽４方向に下降するとともに、手足昇降板復帰スプリング１３ａの復帰力によって手足昇降板６が引き上げられることにより、手足収容槽３内に排出されている伝熱媒体１８を伝熱媒体収容槽４内に排出し収容することができる。
【００６０】
以上が、第二実施形態に係る温熱器具に特有の構成についての説明である。次に、第三実施形態に係る温熱器具に特有の構成について説明する。
【００６１】
第三実施形態に係る温熱器具は、図８及び９に図示するように、手足昇降板上下Ｘアーム機構１５及び伝熱媒体昇降板上下Ｘアーム機構１６を用いた温熱器具である。図示するように、アーム１５ａの上方端は、手足昇降板６の下面横方向に取り付けられた固定回転軸６ａに回動可能なように軸支された回動軸端となっており、アーム１５ａの下方端は手足収容槽３の底面縦方向に取り付けられた滑動片ガイドレール３ｂに沿って滑動可能なように配置された滑動片１５ｃに連結されている。アーム１５ｂの上方端は、手足昇降板６の下面縦方向に取り付けられた滑動片ガイドレール６ｂに滑動可能なように配置された滑動片１５ｄに連結されており、アーム１５ｂの下方端は、手足収容槽３の底面横方向に取り付けられた固定回転軸３ｃに回動可能なように軸支された回動軸端となっている。また、図示するように、アーム１６ａの上方端は、伝熱媒体昇降板７の下面横方向に取り付けられた固定回転軸７ａに回動可能なように軸支された回動軸端となっており、アーム１６ａの下方端は、伝熱媒体収容槽４の底面縦方向に取り付けられた滑動片ガイドレール４ｂに沿って滑動可能なように配置された滑動片１６ｃに連結されている。アーム１６ｂの上方端は、伝熱媒体昇降板７の下面縦方向に取り付けられた滑動片ガイドレール７ｂに滑動可能なように配置された滑動片１６ｄに連結されており、アーム１６ｂの下方端は、伝熱媒体収容槽４の底面横方向に取り付けられた固定回転軸４ｃに回動可能なように軸支された回動軸端となっている。
【００６２】
アーム１５ａとアーム１５ｂは、交点において連結軸１５ｅによって軸支されており、一対のＸアームと、他の一対のＸアームとは、手足昇降板６を挟んで対置されている。同様に、アーム１６ａとアーム１６ｂは、交点において連結軸１６ｅによって軸支されており、一対のＸアームと、他の一対のＸアームとは、伝熱媒体昇降板７を挟んで対置されている。
【００６３】
索部材取付けアーム６ｃ及び７ｃは、横断面形状がＴ字型の部材である。索部材取付けアーム６ｃの一端は、手足収容槽細隙３ａを通して手足収容槽３内に差し入れられ、差し入れられた部分の上面が水平方向に拡がった形状をしており、該部分が手足昇降板６に取り付けられている。索部材取付けアーム７ｃの一端は、伝熱媒体収容槽細隙４ａを通して伝熱媒体収容槽４内に差し入れられ、差し入れられた部分の上面が水平方向に拡がった形状をしており、該部分が伝熱媒体昇降板７に取り付けられている。
【００６４】
索部材取付けアーム６ｃにその一端が取り付けられた索部材１１は、昇降機構収納室８の手足収容槽３寄りの内壁上部に取り付けられた滑車１２ａに巻きかけられ、昇降機構収納室８の伝熱媒体収容槽４寄りの内壁上部に取り付けられた滑車１２ｂに巻きかけられ、索部材取付けアーム７ｃにその他端が取り付けられる。
【００６５】
使用者が手足１９を乗せて手足昇降板６を押し下げると、滑動片１５ｃが滑動片ガイドレール３ｂに沿って滑動するとともに、滑動片１５ｄが滑動片ガイドレール６ｂに沿って滑動することにより、手足昇降板６が下降する。手足昇降板６と伝熱媒体昇降板７とは索部材１１によって連結されているから、手足昇降板６が下降すると同時に、滑動片１６ｃが滑動片ガイドレール４ｂに沿って滑動するとともに、滑動片１６ｄが滑動片ガイドレール７ｂに沿って滑動することにより、伝熱媒体昇降板７が上昇し、伝熱媒体収容槽４内に収容されている伝熱媒体１８を手足収容槽３内に排出することができる。
【００６６】
使用者が手足１９を手足昇降板６から降ろすと、手足昇降板復帰スプリング１３ａと伝熱媒体昇降板復帰スプリング１３ｂの復帰力によって、滑動片１５ｃが滑動片ガイドレール３ｂに沿って滑動して元の位置に復帰するとともに、滑動片１５ｄが滑動片ガイドレール６ｂに沿って滑動して元の位置に復帰することにより、手足昇降板６が上昇する。また、手足昇降板６と伝熱媒体昇降板７とは索部材１１によって連結されているから、手足昇降板復帰スプリング１３ａと伝熱媒体昇降板復帰スプリング１３ｂの復帰力により、手足昇降板６が上昇すると同時に、滑動片１６ｃが滑動片ガイドレール４ｂに沿って滑動して元の位置に復帰するとともに、滑動片１６ｄが滑動片ガイドレール７ｂに沿って滑動して元の位置に復帰することにより、伝熱媒体昇降板７が下降し、手足収容槽３内に排出されている伝熱媒体１８を伝熱媒体収容槽４内に排出し収容することができる。
【００６７】
尚、図８及び図９では、手足昇降板復帰スプリング１３ａは一端を索部材取付けアーム６ｃに取り付けるとともに他端を昇降機構収納室８内壁上部に取り付け、伝熱媒体昇降板復帰スプリング１３ｂは一端を索部材取付けアーム７ｃに取り付けるとともに他端を昇降機構収納室８内壁下部に取り付けているが、手足昇降板復帰スプリング１３ａ及び伝熱媒体昇降板復帰スプリング１３ｂをねじりコイルスプリングとし、手足昇降板復帰スプリング１３ａは一端をアーム１５ａに取り付けるとともに他端をアーム１５ｂに取り付け、伝熱媒体昇降板復帰スプリング１３ｂは一端をアーム１６ａに取り付けるとともに他端をアーム１６ｂに取り付けることによっても、同じ効果を奏することができる。
【００６８】
以上が、第三実施形態に係る温熱器具に特有の構成についての説明である。最後に、第四実施形態に係る温熱器具に特有の構成について説明する。
【００６９】
第四実施形態に係る温熱器具は、図１０に図示するように、手足昇降板６の下面にバイブレータ１７を取り付けたものである。バイブレータ１７は、もとより、手足昇降板６の他、手足昇降板取付けスライダー９ｂ、手足昇降板支持アーム９ｃ等の手足昇降板６に接合される部材の所望の位置に取り付けることができる。バイブレータ１７には、回転軸に偏心重りを取り付けたモータ等の公知のバイブレータを用いることができる。バイブレータ１７を作動させることにより、手足昇降板６を振動させ、手足昇降板６に乗せた使用者の手足１９に刺激を与える。
【００７０】
尚、本考案に係る温熱器具は、図２に図示するように、手足昇降板６が最大高さの位置にあるときに、伝熱媒体１８を伝熱媒体収容槽４内に全て排出することなく、手足昇降板６上に残留させた状態になるよう伝熱媒体１８の分量を調節すると、使用者の手の平又は足の裏を伝熱媒体１８によって指圧することができるとともに、手足収容槽３内に排出されている伝熱媒体１８を伝熱媒体収容槽４内に排出し収容することが容易になり、好適である。
【図面の簡単な説明】
【００７１】
【図１】本考案の第一実施形態に係る温熱器具を示した全体斜視図であり、手足昇降板及び伝熱媒体昇降板を可視するため伝熱媒体を片側の手足収容槽及び伝熱媒体収容槽にのみ収容した状態を示した図である。
【図２】図１の縦断面図である。
【図３】図１に示した本考案の第一実施形態に係る温熱器具の作用説明図である。
【図４】図１に示した本考案の第一実施形態に係る温熱器具における手足昇降板及び伝熱媒体昇降板を連動して昇降させる手段の拡大斜視図である。
【図５】図１の縦断面図である。
【図６】図１に示した本考案の第一実施形態に係る温熱器具における片側の手足収容槽及び伝熱媒体収容槽の横断面図である。
【図７】本考案の第二実施形態に係る温熱器具における手足昇降板及び伝熱媒体昇降板を連動して昇降させる手段の拡大斜視図である。
【図８】本考案の第三実施形態に係る温熱器具の縦断面図である。
【図９】本考案の第三実施形態に係る温熱器具の縦断面図である。
【図１０】本考案の第四実施形態に係る温熱器具の作用説明図である。
【符号の説明】
【００７２】
１  温熱器具
２  容器本体
２ａ  断熱層
３  手足収容槽
３ａ  手足収容槽細隙
３ｂ  滑動片ガイドレール
３ｃ  固定回転軸
４  伝熱媒体収容槽
４ａ  伝熱媒体収容槽細隙
４ｂ  滑動片ガイドレール
４ｃ  固定回転軸
５  発熱体
６  手足昇降板
６ａ  固定回転軸
６ｂ  滑動片ガイドレール
６ｃ  索部材取付けアーム
７  伝熱媒体昇降板
７ａ  固定回転軸
７ｂ  滑動片ガイドレール
７ｃ  索部材取付けアーム
８  昇降機構収納室
９  手足昇降板上下スライド機構
９ａ  手足昇降板取付けガイドレール
９ｂ  手足昇降板取付けスライダー
９ｃ  手足昇降板支持アーム
９ｄ  手足昇降板支持アーム細隙
１０  伝熱媒体昇降板上下スライド機構
１０ａ  伝熱媒体昇降板取付けガイドレール
１０ｂ  伝熱媒体昇降板取付けスライダー
１０ｃ  伝熱媒体昇降板支持アーム
１０ｄ  伝熱媒体昇降板支持アーム細隙
１１  索部材
１２ａ  滑車
１２ｂ  滑車
１３ａ  手足昇降板復帰スプリング
１３ｂ  伝熱媒体昇降板復帰スプリング
１４  シーソー機構
１４ａ  連動棹
１４ｂ  支点軸
１５  手足昇降板上下Ｘアーム機構
１５ａ  アーム
１５ｂ  アーム
１５ｃ  滑動片
１５ｄ  滑動片
１５ｅ  連結軸
１６  伝熱媒体昇降板上下Ｘアーム機構
１６ａ  アーム
１６ｂ  アーム
１６ｃ  滑動片
１６ｄ  滑動片
１６ｅ  連結軸
１７  バイブレータ
１８  伝熱媒体
１９  手足
【図１】
0003141208.tif 000003
【図２】
0003141208.tif 000004
【図３】
0003141208.tif 000005
【図４】
0003141208.tif 000006
【図５】
0003141208.tif 000007
【図６】
0003141208.tif 000008
【図７】
0003141208.tif 000009
【図８】
0003141208.tif 000010
【図９】
0003141208.tif 000011
【図１０】
0003141208.tif 000012